【事件の表示】
　特願２００６−２２１３６１「カラー修正システム及び方法」拒絶査定不服審判事件〔平成１９年１０月２５日出願公開、特開２００７−２８２１７５〕について、次のとおり審決する。
【結　論】
　本件審判の請求は、成り立たない。
【理　由】
１．手続の経緯
　本願は、平成１８年８月１５日の出願（パリ条約の例による優先権主張（特許法第４３条の２第１項の世界貿易機関の加盟国の国民）２００６年４月４日（ＴＷ）台湾）であって、平成２０年６月１８日付け拒絶理由に対して同年１０月２７日付けで手続補正がなされ、平成２１年２月６日付けで拒絶査定がなされた。
　本件は、上記拒絶査定を不服とする平成２１年５月８日の審判請求である。
　
２．本願発明
　本願の特許請求の範囲の請求項１ないし３６に係る各発明は、平成２０年１０月２７日付けの手続補正によって補正された特許請求の範囲、明細書及び図面の記載からみて、上記各請求項にそれぞれ記載されるとおりのものと認められるところ、請求項１９に係る発明（以下「本願発明」という。）は次のとおりのものである。
「カラー修正方法は、
　画像カラーデータが特定カラーデータであるか非特定カラーデータであるかを識別、
　特定カラーデータを修正、
　非特定カラーデータを画像出力装置特性内カラーデータ及び画像出力装置特性外カラーデータに分類、
　画像出力装置のカラー特性に基づいて画像出力装置特性内カラーデータを拡大調整、並びに、
　画像出力装置のカラー特性に基づいて画像出力装置特性外カラーデータを写像調整することを特徴とするカラー修正方法。」
　
３．刊行物発明
　これに対して、原査定の拒絶の理由に引用された特開２００５−２８４５２１号公報（以下「刊行物」という。）には、次に示す（１）ないし（９）が記載されている。
　
（１）
【０００３】
　従来の色変換においては、印刷の目的、使用する色空間等が異なる場合には異なる色変換プロファイルを用意する必要があり、リソースを低減することが困難であった。例えば、入力データが示す色を忠実に再現するためには色域マッピングの際に圧縮や拡張を行わずに作成した色変換プロファイルが必要であるし、プリンタの色域を充分に利用する場合には入力データによる色域より広い領域の色を使えるように色域マッピングの際に拡張を行った色変換プロファイルが必要である。また、異なる色空間におけるデータで入力データを構成し、印刷を実行する場合、各色空間に対応した色変換プロファイルを予め作成しておき、適正な色変換プロファイルを参照する必要があった。
　本発明は、上記課題にかんがみてなされたもので、印刷の目的、使用する色空間等が異なる場合であっても共通の色変換プロファイルを参照して印刷を実行可能にすることを目的とする。
（段落【０００３】）
　
（２）
【００３２】
　本実施形態においては、ｓＲＧＢ規格に準拠した色空間での色域より広い色域を持つ拡張ＲＧＢ空間（ｅＲＧＢと表記）のｅＲＧＢデータとＣＭＹＫｌｃｌｍデータとを対応づけることによってＬＵＴを作成する。尚、ＬＵＴは、有限個（例えば１７３個）の参照点についてｅＲＧＢデータとＣＭＹＫｌｃｌｍデータとの対応関係を規定したテーブルである。データは有限個であるが、参照点を参照して補間処理を実施することによって任意の色についてＲＧＢデータとＣＭＹＫｌｃｌｍデータとを対応づけることができる。
（段落【００３２】）
　
（３）
【００３５】
　プリンタによって印刷を行うために、ＬＵＴでは上記ｅＲＧＢデータとＣＭＹＫｌｃｌｍデータとを対応づける必要があるが、ＣＭＹＫｌｃｌｍデータはプリンタの機器依存色であることから、ＬＵＴを作成する際には一般にプリンタでの実際の印刷結果を測色する。そして、機器非依存色空間で上記ｅＲＧＢデータとＣＭＹＫｌｃｌｍデータとによる色を対応づけることによってＬＵＴを作成する。
（段落【００３５】）
　
（４）
【００３７】
　一方、ＣＭＹＫｌｃｌｍデータはインク量を特定するインク値データであって機器依存色である。従って、実際に印刷を行ったパッチを測色機によって測色することによってＬ*ａ*ｂ*色空間内の座標値を取得する。測色用のＣＭＹＫｌｃｌｍデータは、複数の色（例えば１０3個）について予め用意する。
（段落【００３７】）
　
（５）
【００４２】
　従って、Ｌ*ａ*ｂ*空間の任意の値に対応するｅＲＧＢデータおよびＣＭＹＫｌｃｌｍデータを補間演算で算出することができる。複数のデータについてｅＲＧＢデータとＣＭＹＫｌｃｌｍデータとを算出し、対応づけるとＬＵＴとなる。尚、画像出力を行う際には肌色や空の青色など、実際の色をそのまま出力するより、人間の記憶色に近い色に変換した方が高画質に見えることが多いので、この類の色については実際の色を記憶色に変換しても良い。すなわち、上述の色域マッピングに際して特定の色は記憶色に対応づける。（段落【００４２】）
　
（６）
【００４３】
　以上のようにして作成されたＬＵＴにおいて、ｓＲＧＢデータの色域内かつプリンタの色域内に存在する色は、色域マッピング（色域圧縮や色域拡張等）がなされないのでｓＲＧＢデータが示す色をそのまま出力するようなＣＭＹＫｌｃｌｍデータに対応づけることができる。従って、この色については忠実に色再現を実施することができる。
【００４４】
　一方、ｓＲＧＢデータの色域外でｅＲＧＢデータの色域内に存在する色は、色域圧縮や色域拡張等の色域マッピングなされ、プリンタの色域内の色で色再現される。従って、ｅＲＧＢデータの色域外であってもプリンタの色域内に色が存在すればその色を利用して豊かな階調表現が可能であるし、ｅＲＧＢデータの色域内でプリンタの色域外の色を出力不可能とするのではなくマッピングによってプリンタの色域内の色で出力することが可能になる。
（段落【００４３】【００４４】）
　
（７）
【００６２】
　ここでは、図４に示す例に従ってこの条件をより具体的に説明する。図４に示す例においては、色域境界およびＬ軸等に囲まれる領域を領域Ａ〜Ｈとして区別している。ｓＲＧＢ色空間の色域とプリンタの色域との双方に含まれる色は領域Ａ，Ｂである。ターゲット色がこの領域に含まれるか否かを判別するためには、例えば、ターゲット色および色域境界の彩度を利用することができる。すなわち、ターゲット色の彩度をＣt，ｓＲＧＢ色空間における色域境界の彩度をＣs，ｅＲＧＢ色空間における色域境界の彩度をＣe，プリンタの色域境界の彩度をＣpとして、以下の条件のいずれかを満たすか否かを判別する。
　条件１：Ｃt＜ＣsかつＣs＜Ｃp
　条件２：Ｃt＜ＣpかつＣp＜Ｃs
【００６３】
　すなわち、条件１を満たせば領域Ａ，条件２を満たせば領域Ｂ内にターゲット色が存在する。ターゲット色がこれらの領域Ａ，Ｂ内にある場合は、その色と同一の色をプリンタ２０で出力することができる。そこで、ターゲット色がこれら領域Ａ，Ｂ内に存在すると判別されたときには、そのターゲット色についてマッピングを行わずにｅＲＧＢデータとＣＭＹＫｌｃｌｍデータとを対応づける。この結果、ｅＲＧＢデータが示す色とＣＭＹＫｌｃｌｍデータによって出力される色とが略同一になり、忠実な色再現が実現される。
【００６４】
　一方、ｓＲＧＢ色空間の色域外かつｅＲＧＢ色空間の色域内の領域は、上記図４における領域Ｅ，Ｆ，Ｇである。しかし、各領域の外側にプリンタの色域が存在する領域は領域Ｇである。このように、ｓＲＧＢ色空間の色域外かつｅＲＧＢ色空間の色域内の領域に含まれる色であり、この領域の外側にプリンタの色域が存在するか否かを判別するためには、例えば、以下の条件を満たすか否かを判別する。
　条件３：Ｃt≧ＣsかつＣt＜ＣeかつＣe＜Ｃp
【００６５】
　ターゲット色がこの領域Ｇ内にある場合は、領域Ｈ内の色を出力することにより、色相や明度を大幅に変えることなくより彩度の高い色を出力可能である。そこで、領域Ｇ内の色については色域拡張を行って領域Ｈの色も利用する。色域拡張においては、領域Ｇ内の色を領域Ｇおよび領域Ｈ内の色に一対一で対応づけることができれば良く、種々のアルゴリズムによって実行可能である。
【００６６】
　例えば、マッピングによって明度と色相は変動させないこととし、マッピング後の彩度ＣmをＣm＝（Ｃt−Ｃs）×（Ｃp−Ｃs）／（Ｃe−Ｃs）として算出する構成等を採用可能である。以上のようにしてマッピングを行ってｅＲＧＢデータとＣＭＹＫｌｃｌｍデータとを対応づけると、ｅＲＧＢデータが示す色より高い彩度を含む色がＣＭＹＫｌｃｌｍデータによって出力され、豊かな階調による色再現が実現される。
【００６７】
　尚、プリンタの色域外の色は印刷できないため、本実施形態ではｅＲＧＢ色空間の色域内かつプリンタの色域外の色をプリンタの色域内に圧縮している。また、本実施形態ではｓＲＧＢ色空間の色域外であるが、ｅＲＧＢ色空間の色域内かつプリンタの色域内の色についてもマッピングを行わず、忠実な色再現を実施できるようにしている。具体的には、以下の条件に基づいてターゲット色が領域Ｃ，Ｄ，Ｅ，Ｆのいずれに該当するか判別し、マッピングの必要性およびその手法を判断する。
【００６８】
　条件４：Ｃt≧ＣpかつＣt＜ＣsかつＣp＜Ｃs
　条件５：Ｃt≧ＣsかつＣp＜Ｃs
　条件６：Ｃt≧ＣsかつＣt＜ＣpかつＣp＜Ｃe
　条件７：Ｃt≧ＣpかつＣt＜ＣeかつＣp＜Ｃe
　すなわち、条件４を満たせば、ターゲット色が領域Ｃ内に存在する。領域Ｃでは、ターゲット色がｓＲＧＢ色空間およびｅＲＧＢ色空間の色域内に含まれるが、プリンタの色域外である。そこで、当該ターゲット色が指定された画像においても何らかの色を印刷するため、色域圧縮処理を行う。ここで、色域圧縮処理のアルゴリズムとしては、種々のアルゴリズムを採用可能である。例えば、色相を変更せず、明度および彩度を変更してプリンタの色域内の色になるような規則を採用する。また、条件５を満たせば、ターゲット色が領域Ｄ内に存在する。領域Ｄでは、ターゲット色がｅＲＧＢ色空間の色域内に含まれるが、プリンタの色域外であるため、上記領域Ｃと同様に色域圧縮処理を行う。ここでも、色域圧縮処理のアルゴリズムとしては、種々のアルゴリズムを採用可能である。
【００６９】
　さらに、条件６を満たせば、ターゲット色が領域Ｅ内に存在する。領域Ｅでは、ターゲット色がｅＲＧＢ色空間の色域内であるとともにプリンタの色域内である。従って、このターゲット色を忠実に再現することが可能であり、マッピングは行わない。さらに、条件７を満たせば、ターゲット色が領域Ｆ内に存在する。領域Ｆでは、ターゲット色がｅＲＧＢ色空間の色域内であるが、プリンタの色域外である。そこで、当該ターゲット色が指定された画像においても何らかの色を印刷するため、色域圧縮処理を行う。ここでも、色域圧縮処理のアルゴリズムとしては、種々のアルゴリズムを採用可能である。
【００７０】
　以上のように、色域の境界に基づいて色域の重なり具合を判断すれば、一つのＬＵＴによって、異なる目的（忠実な色再現と豊かな階調での色再現）の色変換を実施可能である。また、ｓＲＧＢデータは、容易にｅＲＧＢデータへ変換することができるので、ｓＲＧＢデータによる入力画像データとｅＲＧＢデータによる入力画像データのいずれについても一つのＬＵＴにて色変換を行い、印刷を実行可能である。
（図４の説明である段落【００６２】ないし【００７０】）
　
（８）
【００７１】
　図５は、以上のような処理によって作成されるＬＵＴ１２ｄの構成を説明する説明図である。同図においては、ＲＧＢデータとＣＭＹＫｌｃｌｍデータとが一対一に対応づけられていることを示している。上述のように、ターゲット色はＬＵＴに登録される複数の参照点に対応しており、上記ｅＲＧＢデータの色域を網羅する色である。従って、ＬＵＴ１２ｄに規定されたＲＧＢデータがｅＲＧＢ色空間のデータであるとすれば、色域圧縮を受けるものの、ｅＲＧＢ色空間の色域に含まれる略全色（Ｒa1Ｇa1Ｂa1〜ＲenＧenＢen）についてＣＭＹＫｌｃｌｍデータに変換することができる。
【００７２】
　一方、ｓＲＧＢ色空間はｅＲＧＢ色空間より狭いので、ＬＵＴ１２ｄに規定されるＲＧＢデータの一部（Ｒa1Ｇa1Ｂa1〜ＲsnＧsnＢsn）によってｓＲＧＢ色空間の色域を網羅することができる。従って、ｓＲＧＢデータをｅＲＧＢデータに変換（ｓＲＧＢデータが示す色と同じ色を示すｅＲＧＢデータを算出する）し、当該ｅＲＧＢデータをＣＭＹＫｌｃｌｍデータに変換することにより、ｓＲＧＢデータが示す色を出力するためのＣＭＹＫｌｃｌｍデータを取得することができる。
【００７３】
　尚、ｓＲＧＢ色空間の色域に対応するＲＧＢデータの一部（図５のＲa1Ｇa1Ｂa1〜ＲanＧanＢan）についてはそのデータが示す色をマッピングせずにＣＭＹＫｌｃｌｍデータと対応づけている。従って、このＲＧＢデータについては忠実な色再現を実施可能である。また、ｓＲＧＢ色空間の色域外でｅＲＧＢ色空間の色域内の色を示すＲＧＢデータは、図５のＲe1Ｇe1Ｂe1〜ＲenＧenＢenである。この色の一部は、上述のようにｅＲＧＢ色空間の色域外にマッピングされている。従って、ｅＲＧＢ色空間における色の表現力を超えた豊かな色再現を実施可能である。
【００７４】
　以上の構成により、入力画像データをＲa1Ｇa1Ｂa1〜ＲanＧanＢanの範囲内で構成すれば、忠実な色再現を実施できるし、Ｒa1Ｇa1Ｂa1〜ＲsnＧsnＢsnに相当するデータを利用すれば、ｓＲＧＢ色空間のデータに基づく印刷を実施することができる。むろん、ｅＲＧＢ色空間のデータに基づく印刷を実施することもできるし、ここで、Ｒe1Ｇe1Ｂe1〜ＲenＧenＢenの一部を含む入力画像データを使えば、ｅＲＧＢ色空間における色の表現力を超えた豊かな色再現を実施可能である。
（図５の説明である段落【００７１】ないし【００７４】）
　
（９）
【００８０】
　図７は、印刷制御処理のフローチャートである。印刷制御処理が開始されると、画像データ１２０ａが画像データ取得部２１０ａに取得される。（ステップＳ２００）。同画像データ取得部２１０ａは、画像データ１２０ａの画素数に過不足があるか否かを判別し、過不足がある場合には補間演算によって過不足を補う。色変換部２１０ｂは、ＲＧＢデータをＣＭＹＫｌｃｌｍデータに変換するモジュールであり、ＬＵＴ１２ｄの参照点を使用して任意のＲＧＢデータをＣＭＹＫｌｃｌｍデータに変換する。当該ＣＭＹＫｌｃｌｍデータが上述の出力画像データに相当する。
【００８１】
　色変換部２１０ｂは、色空間変換部２１０ｂ１を備えており、上記色変換を実施する前に上記設定された色空間に対応した処理を行う。すなわち、ＬＵＴ１２ｄに記述されたＲＧＢデータはｅＲＧＢ色空間のデータであるため、画像データ１２０ａがｓＲＧＢ色空間のデータである場合には、これをｅＲＧＢ色空間のデータに変換する必要がある。
【００８２】
　このため、色空間変換部２１０ｂ１は、上記画像データ取得部２１０ａが取得した画像データ１２０ａについて設定されていた色空間を判別する（ステップＳ２１０）。この色空間がｓＲＧＢ色空間であると判別（ステップＳ２２０）したら、色空間変換部２１０ｂ１はＨＤＤ１２０に記録されている変換マトリクス１２０ｂを参照し、ｓＲＧＢデータをｅＲＧＢデータに変換する。尚、変換マトリクス１２０ｂは、ｓＲＧＢデータをｅＲＧＢデータに変換するための３×３行列を示すデータである。
【００８３】
　ここでは、入力される画像データのＲＧＢ値がいずれの色空間に存在するのかを判別することができれば良く、印刷の目的で判断しても良い。例えば、忠実な色再現と豊かな色再現とのいずれかを選択するように構成し、前者であればｓＲＧＢ色空間のデータであると判断し、後者であればｅＲＧＢ色空間のデータであると判断する構成等を採用可能である。ステップＳ２２０にて色空間がｓＲＧＢ色空間であると判別されなかった場合およびステップＳ２３０にて変換を行った場合には、その時点で得られているＲＧＢデータの色空間がｅＲＧＢ色空間である。そこで、色変換部２１０ｂは、上記ＬＵＴ１２ｄを参照し、補間演算によって任意のＲＧＢデータをＣＭＹＫｌｃｌｍデータに変換する（ステップＳ２４０）。
【００８４】
　尚、色変換部２１０ｂは色補正部２１０ｂ２を備えており、利用者の指示等によって、色補正を実施することも可能である。すなわち、写真等の印刷においては、実際の被写体の色や画像データが示す色を忠実に再現するよりも彩度を高くするなど所定の色補正を実施した方が高画質に見える場合が多い。例えば、肌色や空の青色など、実際の色をそのまま出力するより、人間の記憶色に近い色に変換した方が高画質に見える。そこで、色補正部２１０ｂ２においては、利用者の指示等により、色変換前あるいは色変換後の画像データから特定の色を抽出し、他の色に変換する処理を実行する。
【００８５】
　いずれにしても色変換によって画素毎のＣＭＹＫｌｃｌｍデータが得られたら、ハーフトーン処理部２１０ｃは、上記ハーフトーン処理部１１ａと同様の処理を行ってハーフトーンデータを取得する（ステップＳ２５０）。印刷データ生成部２１０ｄは、当該ハーフトーンデータを受け取って、プリンタ２０で使用される順番に並べ替える並べ替え処理を行う（ステップＳ２６０）。この並べ替え処理の後、画像の解像度などの所定の情報を付加して印刷データを生成し、ＵＳＢＩ／Ｆ１９０ｂを介してプリンタ２０に出力する（ステップＳ２７０）。プリンタ２０においては当該印刷データに基づいて画像を印刷する。
（図７の説明である段落【００８０】ないし【００８５】）
　
　刊行物の上記記載（７）によれば、刊行物の図４に示されるように、ターゲット色Ｃtが、ｅＲＧＢ色空間内の領域Ａ，Ｅに存在する場合には、マッピングを行わず、ターゲット色を忠実に再現する。また、ターゲット色Ｃtが、ｅＲＧＢ色空間内の領域Ｇ（プリンタの色域内でもある）に存在する場合には、領域Ｇおよびプリンタの色域内である領域Ｈの色に色域拡張して、ターゲット色を豊かな階調で色再現する。さらに、ターゲット色Ｃtが、プリンタの色域外である領域Ｆに存在する場合には、プリンタの色域内である領域Ｅの色に色域圧縮処理して、ターゲット色を何らかの色で再現する。
　刊行物の上記記載（８）によれば、刊行物の図５に示されるように、ターゲット色はＬＵＴに登録される複数の参照点に対応しており、ｅＲＧＢデータの色域を網羅する色であり、ＬＵＴに入力されるＲＧＢデータについて、忠実な色再現とｅＲＧＢ色空間における色の表現力を超えた豊かな色再現とを実施可能である。
　刊行物の上記記載（９）によれば、刊行物の図７のステップＳ２４０に示されるように、ＬＵＴの参照点を使用して任意のＲＧＢデータをＣＭＹＫｌｃｌｍデータに変換する。
　刊行物の上記記載（５）によれば、ＬＵＴにおいて、肌色や空の青色などの実際の色を記憶色に変換、すなわち、色域マッピングに際して特定の色は記憶色に対応づける。特定の色の場合には記憶色に変換しているところから、領域Ａ，Ｅ，Ｆ，Ｇに対する上記色再現は特定の色以外の色に対してなされるものといえる。
　したがって、刊行物には、次のとおりの発明（以下「刊行物発明」という。）が記載されていると認められる。
　
［刊行物発明］
　入力される任意のＲＧＢデータが複数の参照点に対応したＬＵＴは、
　上記ＲＧＢデータが、特定の色の場合には、記憶色に変換し、
　上記ＲＧＢデータが、ｅＲＧＢ色空間内の領域Ａ，Ｅに存在する場合には、マッピングを行わず、入力色を忠実に再現し、
　上記ＲＧＢデータが、ｅＲＧＢ色空間内の領域Ｇ（プリンタの色域内でもある）に存在する場合には、プリンタの色域内である領域Ｈの色に色域拡張して、入力色を豊かな階調で色再現し、
　上記ＲＧＢデータが、プリンタの色域外である領域Ｆに存在する場合には、プリンタの色域内である領域Ｅの色に色域圧縮処理して、入力色を何らかの色で再現することで、
　入力された任意のＲＧＢデータをＣＭＹＫｌｃｌｍデータに変換する変換方法。
　
４．対比
　本願発明と刊行物発明とを対比すると、刊行物発明が対象とする変換方法は、変換に当たって、入力される任意のＲＧＢデータを、記憶色に変換したり、マッピングをしなかったり（すなわち、変更せずそのまま用いる）、色域マッピングとして色域拡張及び色域圧縮を行って、色を修正しているといえるから、本願発明と同じくカラー修正方法といえる。
　刊行物発明はＬＵＴを用いており、予めＬＵＴを設定して入力に対応する出力を得るものであるから、上記特定の色、非特定の色についての処理は、入力データをテーブルに対応させることで行っており、本願発明のように、入力データを直接「識別」してその後の処理を異ならせるものではない。したがって、本願発明では、「画像カラーデータが特定カラーデータであるか非特定カラーデータであるかを識別」することに対し、刊行物発明は、そのようにしていない点で相違する。
　刊行物発明は、「特定の色の場合には、記憶色に変換」（肌色などを記憶色にする）しているから、「特定カラーデータを修正」するといえる。
　刊行物発明は、「特定の色の場合には、記憶色に変換」（肌色などを記憶色にする）する一方で、特定の色ではない色（肌色などではない色）については、領域に基づく処理を行っており、特定の色ではない色（肌色などではない色）は、非特定カラーデータといい得る。
　そして、領域に基づく処理は、
　領域Ｆを区別しているから、「非特定画像カラーデータを画像出力装置特性内カラーデータ及び画像出力装置特性外カラーデータに分類」しているといえる。もっとも、この分類も、予め分類してテーブルを設定しておくものであり、入力データを「識別」して分類するものではない。
　領域Ｇについて、領域Ｈの色に色域拡張しているから、「画像出力装置のカラー特性に基づいて画像出力装置特性内カラーデータを拡大調整」しているといえる。
　また、領域Ｆについて、プリンタの色域内である領域Ｅの色に色域圧縮処理しているから、「画像出力装置のカラー特性に基づいて画像出力装置特性外カラーデータを調整する」といえる。もっとも、本願発明においては、色域圧縮ではなく、写像調整である点で相違する。
　
　したがって、本願発明と刊行物発明との一致点、相違点は次のとおりであると認められる。
〈一致点〉
　両者は、
「カラー修正方法は、
　特定カラーデータを修正、
　非特定画像カラーデータを画像出力装置特性内カラーデータ及び画像出力装置特性外カラーデータに分類、
　画像出力装置のカラー特性に基づいて画像出力装置特性内カラーデータを拡大調整、並びに、
　画像出力装置のカラー特性に基づいて画像出力装置特性外カラーデータを調整することを特徴とするカラー修正方法。」である点で一致する。
　
〈相違点〉
　相違点（１）
　本願発明では、「画像カラーデータが特定カラーデータであるか非特定カラーデータであるかを識別」することに対し、刊行物発明は、そのようにしていない点、そのため、分類を、本願発明では「識別」して分類することに対し、刊行物発明はそのようにしていない点。
　
　相違点（２）
　画像出力装置特性外カラーデータを調整が、本願発明においては写像調整であるのに対して、刊行物発明においては色域圧縮である点。
　
５．判断
　相違点（１）について
　刊行物発明はＬＵＴを用いて色の修正を行っているところ、色修正を行う手法として、入力データを直接識別して処理を異ならせることが、拒絶理由に引用された特開２００４−２９７６１７号公報（図１及びその説明である段落００４８，００４９，００５９，００６０）に記載されており、刊行物発明において、ＬＵＴを用いることに代えて、入力データを直接識別して処理を異ならせるようにすることは、当業者が容易に想到できることといえ、刊行物発明でＬＵＴを設定しておくことで、特定カラーデータであるか非特定カラーデータであるかの区別による変換内容の区別、および、分類を、特定カラーデータであるか非特定カラーデータであるを識別し、識別したデータを分類するようにして、本願発明の相違点（１）に係る構成とすることは、当業者が容易に想到できることといえる。
　
　相違点（２）について
　刊行物発明においては色域圧縮の具体的な圧縮方法は記載されていないが、プリンタの色域外の色をプリンタの色域境界の色に変換する圧縮処理が拒絶理由に引用された特開２００２−１５２５３５号公報（段落【０００４】、図６（Ａ）及びその説明である段落【０００６】）又は同じく引用された特開平１０−７０６６９号公報（図６（ａ）及びその説明である段落【００２３】）に記載され、これらの圧縮処理は、本願発明における写像調整と同じことを行っている。
　したがって、刊行物発明における色域圧縮を写像調整とすることは、当業者が容易になし得ることである。
　
　以上のとおり、上記各相違点に係る本願発明の構成は当業者が容易に想到できるものであり、その構成から、本願発明の効果も当業者が予測できるものといえる。
　
６．請求人の主張についての検討
　請求人は刊行物（拒絶理由での引用文献１）について、次のとおり主張している。
　「引用文献１はその図４に示されるように、その一対一の対応の技術手段は範囲が比較的大きい領域Ｈを範囲が比較的小さい領域Ｇに対応させている。審査官殿は引用文献１の明細書の〔００６５〕と図４に記載の技術手段により本願の拡張技術手段が記載されていると指摘されているが、引用文献１の明細書の〔００６５〕及び図４に記載の技術手段はカラーデータを縮小するものであり、カラーデータを拡張させるものではない。ゆえに引用文献１には本願の拡張調整ユニットの技術手段は記載されておらず、これにより本願発明の拡張調整ユニットは引用文献１に記載されていない。」
　この主張において、「比較的大きい領域Ｈを範囲が比較的小さい領域Ｇに対応」は「カラーデータを縮小するもの」としているが、これは、上記３．のとおり、領域Ｇ内の色を領域Ｇおよび領域Ｈの色に色域拡張するものであって、縮小するものではない。請求人の主張は、刊行物（引用文献１）の記載内容に基づかない請求人独自の見解であって、これが誤りであることは明白であって、採用できない。
　
７．むすび
　以上のとおり、本願の請求項１９に係る発明は、刊行物発明に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。